(57)【特許請求の範囲】
【請求項１】
磁気ヘッドを有する磁気処理ユニットを、本体シャーシに対して着脱可能に取付けることにより、前記磁気処理ユニットを、前記本体シャーシにおけるシート体を搬送する搬送路に組付ける磁気処理ユニットの取付機構において、前記本体シャーシに、前記磁気処理ユニットを収容する開口部を形成し、かつ前記磁気処理ユニットに、前記開口部に収容した際に前記本体シャーシの搬送路に対して同一面上に位置する搬送路を有するユニット側シャーシを設け、このユニット側シャーシと前記本体シャーシ間における複数の取付位置を、前記本体シャーシ又は前記ユニット側シャーシにおける一方側の面に配する第一固定体と他方側の面に配する第二固定体，及び前記第一固定体と前記第二固定体を固定する固定ネジ部を有することにより、前記ユニット側シャーシと前記本体シャーシ間に跨がり、かつ前記ユニット側シャーシと前記本体シャーシを両面側から挟む固定具により固定可能に構成し、さらに、前記取付位置における前記本体シャーシと前記ユニット側シャーシに、それぞれ切欠部を設けるとともに、前記第一固定体に、前記各切欠部に跨がって係合可能な係合突起部を一体に設け、前記係合突起部と少なくとも一方の前記切欠部は、一方向にのみ相対変位が許容される形状に形成してなることを特徴とする磁気処理ユニットの取付機構。
【請求項２】
前記取付位置は、少なくとも前記ユニット側シャーシにおけるＸ方向位置とＹ方向位置の双方に設けることを特徴とする請求項１記載の磁気処理ユニットの取付機構。
【請求項３】
前記係合突起部は、前記第二固定体に設けた係合凹部に係合することを特徴とする請求項１記載の磁気処理ユニットの取付機構。
【請求項４】
前記磁気処理ユニットは、発券機の本体シャーシに取付けることにより券体の磁気記録面に対する記録又は読出を行う磁気処理ユニットであることを特徴とする請求項１記載の磁気処理ユニットの取付機構。
【発明の詳細な説明】
【技術分野】
【０００１】
本発明は、磁気ヘッドを有する磁気処理ユニットを本体シャーシに対して着脱可能に取付ける際に用いて好適な磁気処理ユニットの取付機構に関する。
【背景技術】
【０００２】
一般に、切符等の券体を自動券売する発券機は知られており、この種の発券機としては、特許文献１で開示される発券機が知られている。同文献１で開示される発券機は、矩形状のシャーシ部材の一方の対角線方向に、券体を搬送して当該券体に対する処理を行う券体処理部を配し、かつ券体処理部の搬送方向下流側に発券口を配するとともに、シャーシ部材の他方の対角線方向における券体処理部の両側に、ロール紙をそれぞれ配し、かつ券体処理部の搬送方向上流側に、ロール紙から繰り出す券体用紙を券体処理部に導入する導入部を配したものであり、券体処理部には、印字部，カッティング部，券体方向変換機構部，磁気処理部を備える。そして、券体処理部を通過した券体は発券口から発券される。
【０００３】
ところで、発券機に内蔵する磁気処理部は、券体の裏面に設けた磁気記録面に情報（データ）を記録する書込磁気ヘッド及び券体の磁気記録面から記録された情報（データ）を読出す読取磁気ヘッドを備えており、このような書込及び読取を行う磁気ヘッドは使用によりヘッド面が減耗する。したがって、各磁気ヘッドは、定期的に交換する必要があり、従来は、特許文献２に開示されるように、磁気処理部を別体の磁気処理ユニットとして構成し、この磁気処理ユニットを、本体シャーシに対して所定の取付機構を介して着脱可能に取付けていた。これにより、取付機構の脱着操作により、旧磁気処理ユニットの取外しと新磁気処理ユニットの取付けを行うことができる。
【特許文献１】特開２０００−２１５３２７号公報
【特許文献２】特開２０００−６７２７９号公報
【発明の開示】
【発明が解決しようとする課題】
【０００４】
しかし、上述した磁気処理ユニットを本体シャーシに取付ける従来の取付機構は、次のような解決すべき課題が存在した。
【０００５】
第一に、この種の発券機には、通常、券体に記録される情報（データ）の量と発券の高速化が求められる。現在、券体の磁気記録面には、１０〔本〕前後のトラックが形成され、各トラック間のピッチは２〔ｍｍ〕程度になるため、搬送される券体の幅方向位置に対して許容される誤差は０．０５〔ｍｍ〕以下になることが要求されるが、従来の磁気処理ユニットの取付機構では、位置精度上、このような許容誤差に対応できず、結果的に、券体に対する読取不良等のエラーを生じる虞れがあった。
【０００６】
第二に、磁気処理ユニットの交換作業は、例えば、駅等の場合、夜間の限られた時間内に終了させる必要があるため、交換作業を迅速かつ確実に行うことが要求されるとともに、発券機の設置台数が増加するに従って交換作業に対する更なる効率アップ及びコストダウンが要求される。したがって、このような要求に応える観点から取付機構の構造においても更なる改善が要請されていた。
【０００７】
本発明は、このような背景技術に存在する課題を解決した磁気処理ユニットの取付機構の提供を目的とするものである。
【課題を解決するための手段】
【０００８】
本発明は、上述した課題を解決するため、磁気ヘッドｍａ，ｍｂを有する磁気処理ユニットＭｍを、本体シャーシ３に対して着脱可能に取付けることにより、磁気処理ユニットＭｍを、本体シャーシ３におけるシート体Ｓを搬送する搬送路Ｆに組付ける磁気処理ユニットの取付機構１を構成するに際して、本体シャーシ３に、磁気処理ユニットＭｍを収容する開口部３ｗを形成し、かつ磁気処理ユニットＭｍに、開口部３ｗに収容した際に本体シャーシ３の搬送路Ｆｏ（Ｆ）に対して同一面上に位置する搬送路Ｆｍ（Ｆ）を有するユニット側シャーシ２を設け、このユニット側シャーシ２と本体シャーシ３間における複数の取付位置Ｐａ，Ｐｂ，Ｐｃを、本体シャーシ３又はユニット側シャーシ２における一方側の面に配する第一固定体１１…と他方側の面に配する第二固定体１２…，及び第一固定体１１…と第二固定体１２…を固定する固定ネジ部１３…を有することにより、ユニット側シャーシ２と本体シャーシ３間に跨がり、かつユニット側シャーシ２と本体シャーシ３を両面側から挟む固定具４…により固定可能に構成し、さらに、取付位置Ｐａ，Ｐｂ，Ｐｃにおける本体シャーシ３とユニット側シャーシ２に、それぞれ切欠部３ｃ…，２ｃ…を設けるとともに、第一固定体１１…に、各切欠部３ｃ…，２ｃ…に跨がって係合可能な係合突起部１１ｓ…を一体に設け、係合突起部１１ｓ…と少なくとも一方の切欠部２ｃ…は、一方向にのみ相対変位が許容される形状に形成してなることを特徴とする。
【０００９】
この場合、発明の好適な態様により、取付位置Ｐａ，Ｐｂ，Ｐｃは、少なくともユニット側シャーシ２におけるＸ方向位置とＹ方向位置の双方に設けることができる。また、係合突起部１１ｓは、第二固定体１２に設けた係合凹部１２ｒに係合することができる。なお、磁気処理ユニットＭｍは、発券機Ｍの本体シャーシ３に取付けることによりシート体Ｓを構成する券体Ｓｃの磁気記録面Ｓｃｍに対する記録又は読出を行う磁気処理ユニットに適用することができる。
【発明の効果】
【００１０】
このような構成を有する本発明に係る磁気処理ユニットの取付機構１によれば、次のような顕著な効果を奏する。
【００１１】
（１）  本体シャーシ３に、磁気処理ユニットＭｍを収容する開口部３ｗを形成するとともに、磁気処理ユニットＭｍに、開口部３ｗに収容した際に本体シャーシ３の搬送路Ｆｏ（Ｆ）に対して同一面上に位置する搬送路Ｆｍ（Ｆ）を有するユニット側シャーシ２を設け、このユニット側シャーシ２と本体シャーシ３間における複数の取付位置Ｐａ，Ｐｂ，Ｐｃを、ユニット側シャーシ２と本体シャーシ３間に跨がり、かつユニット側シャーシ２と本体シャーシ３を両面側から挟む固定具４…により固定するため、搬送されるシート体Ｓに対する磁気処理ユニットＭｍの位置精度を高めることができる。これにより、幅方向位置に対する許容誤差が０．０５〔ｍｍ〕以下になることが要求されるような場合であっても十分に対応することができ、シート体Ｓに対する読取不良等のエラーの発生を回避できる。
【００１２】
（２）  ユニット側シャーシ２と本体シャーシ３間における複数の取付位置Ｐａ，Ｐｂ，Ｐｃを、ユニット側シャーシ２と本体シャーシ３間に跨がり、かつユニット側シャーシ２と本体シャーシ３を両面側から挟む固定具４…により固定するようにしたため、取付機構１の機構構造上のシンプル化によるコストダウン、更には磁気処理ユニットＭｍを交換する際における交換作業の効率アップを図ることができる。
【００１３】
（３）  固定具４は、本体シャーシ３又はユニット側シャーシ２における一方側の面に配する第一固定体１１…と他方側の面に配する第二固定体１２…，及び第一固定体１１…と第二固定体１２…を固定する固定ネジ部１３…を備えて構成したため、本発明に係る取付機構１を実施するに際して、機構構造上のシンプル化によるコストダウン及び交換作業の効率アップの観点からより大きな効果を得ることができる。
【００１４】
（４）  取付位置Ｐａ，Ｐｂ，Ｐｃにおける本体シャーシ３とユニット側シャーシ２に、それぞれ切欠部３ｃ，２ｃを設けるとともに、第一固定体１１に、各切欠部３ｃ，２ｃに跨がって係合可能な係合突起部１１ｓを一体に設けたため、固定具４…の取付性及び操作性の向上を図れるとともに、磁気処理ユニットＭｍの交換作業の効率アップの観点からより大きな効果を得ることができる。
【００１５】
（５）  係合突起部１１ｓと少なくとも一方の切欠部２ｃは、一方向にのみ相対変位が許容される形状に形成したため、第一固定体１１の回り止めが行われ、固定具４…の更なる取付性及び操作性の向上を図ることができる。
【００１６】
（６）  好適な態様により、取付位置Ｐａ，Ｐｂ，Ｐｃを、少なくともユニット側シャーシ２におけるＸ方向位置とＹ方向位置の双方に設ければ、本体シャーシ３に対するユニット側シャーシ２の位置決めを行うことができ、複数の固定具４…による固定機能（取付機能）に加え、位置決め機能を兼用させることができ、取付機構１における機構構造上の更なるシンプル化に寄与できる。
【００１７】
（７）  好適な態様により、係合突起部１１ｓを、第二固定体１２に設けた係合凹部１２ｒに係合するようにすれば、第一固定体１１と第二固定体１２の位置決めを容易かつ確実に行うことができる。
【００１８】
（８）  好適な態様により、磁気処理ユニットＭｍを、発券機Ｍの本体シャーシ３に取付けることによりシート体Ｓを構成する券体Ｓｃの磁気記録面Ｓｃｍに対する記録又は読出を行う磁気処理ユニットに適用すれば、本発明に係る取付機構１を実施するに際して、シート体Ｓに対する磁気処理ユニットＭｍの位置精度，取付機構１の機構構造上のシンプル化によるコストダウン及び磁気処理ユニットＭｍを交換する際における交換作業の効率アップの観点からより大きな効果を得ることができる。
【発明を実施するための最良の形態】
【００１９】
次に、本発明に係る最良の実施形態を挙げ、図面に基づき詳細に説明する。
【００２０】
まず、本実施形態に係る磁気処理ユニットの取付機構１を用いて好適な発券機Ｍの概略構成について、図４を参照して説明する。
【００２１】
３１はキャビネットであり、キャビネット３１の前面下部には発券口３２を備えるとともに、発券口３２の上方には操作パネル３３を備える。また、キャビネット３１の内部には本体シャーシ３を配設し、この本体シャーシ３に、それぞれ異なるサイズのシート体Ｓを構成する券体Ｓｃａ（Ｓｃ）…，Ｓｃｂ（Ｓｃ）…を収容したスタッカ部３５ａ，３５ｂ、磁気処理ユニットＭｍ、印字部３７等の主要機構部を配設するとともに、スタッカ部３５ａ，３５ｂ、磁気処理ユニットＭｍ、印字部３７、発券口３２に沿って複数の搬送ローラ及び搬送ベルトを組合わせた搬送ライン３８を配設する。なお、４０は制御回路部を示す。
【００２２】
この場合、磁気処理ユニットＭｍは、ユニット側シャーシ２を備え、このユニット側シャーシ２上に書込磁気ヘッドｍａ及び読取磁気ヘッドｍｂを搭載することにより、本体シャーシ３とは別体のユニットとして構成する。そして、この磁気処理ユニットＭｍは、本実施形態に係る取付機構１を用いて本体シャーシ３に対して着脱可能に取付けることができる。
【００２３】
次に、本実施形態に係る取付機構１の構成について、図１〜図６を参照して具体的に説明する。
【００２４】
まず、磁気処理ユニットＭｍを設置する本体シャーシ３には、図１に示すように、磁気処理ユニットＭｍを収容する開口部３ｗを形成する。磁気処理ユニットＭｍは、上述したように、ユニット側シャーシ２を備えているため、開口部３ｗは、この開口部３ｗの内側空間に、ユニット側シャーシ２が完全に入る大きさに選定するとともに、開口部３ｗの形状は、ユニット側シャーシ２の外郭形状を考慮して選定する。特に、開口部３ｗの大きさ及び形状は、磁気処理ユニットＭｍの取付け及び取外しが円滑にできるように考慮することが望ましい。
【００２５】
他方、磁気処理ユニットＭｍに備えるユニット側シャーシ２は、図３に示すように、開口部３ｗに収容した際に、当該ユニット側シャーシ２に有する搬送路Ｆｍが、本体シャーシ３の搬送路Ｆｏ，Ｆｏに対して同一面上に位置するように、本体シャーシ３と同一の素材を使用し、かつ同一の厚さに形成することが望ましい。これにより、本体シャーシ３に磁気処理ユニットＭｍを取付けた際には、磁気処理ユニットＭｍと本体シャーシ３間に、券体Ｓｃを搬送する機能的に連続する搬送路Ｆが形成される。
【００２６】
このため、図１に示すように、ユニット側シャーシ２の両端には、搬送路Ｆを形成する搬送路形成部２ｆ，２ｆを設けるとともに、本体シャーシ３に、この搬送路形成部２ｆ，２ｆに対向する搬送路形成部３ｆ，３ｆを設ける。また、各搬送路形成部２ｆ，２ｆ，３ｆ，３ｆの先端部２ｅ，２ｅ，３ｅ，３ｅは、図３に示すように、内側にやや折曲げることにより、券体Ｓｃの円滑な搬送を確保する。
【００２７】
さらに、ユニット側シャーシ２を本体シャーシ３に取付ける際の取付位置を選定する。例示の場合、ユニット側シャーシ２を横長の長方形と見做せば、左短辺の下部位置，右短辺の下部位置，上長辺の中央位置を、それぞれ三つの取付位置Ｐａ，Ｐｂ，Ｐｃとして選定することができる。そして、各取付位置Ｐａ，Ｐｂ，Ｐｃにおける本体シャーシ３とユニット側シャーシ２には、それぞれ切欠部３ｃ，２ｃを設ける。この場合、図１及び図５に示すように、本体シャーシ３に設ける切欠部３ｃは、本体シャーシ３の端辺部から半円形に形成するとともに、ユニット側シャーシ２に設ける切欠部２ｃは、ユニット側シャーシ２の端辺部からＵ形に形成する。
【００２８】
一方、各取付位置Ｐａ，Ｐｂ，Ｐｃにおいて、ユニット側シャーシ２と本体シャーシ３間に跨がり、かつユニット側シャーシ２と本体シャーシ３を両面側から挟んで固定する三組の固定具４…を用意する。三組の固定具４…は同一であり、一組の固定具４は、本体シャーシ３及びユニット側シャーシ２の一方側の面に配する第一固定体１１と、本体シャーシ３及びユニット側シャーシ２の他方側の面に配する第二固定体１２と、第一固定体１１と第二固定体１２を固定する固定ネジ部１３とを備えて構成する。第一固定体１１は、図２に示すように、一定の厚さを有する円盤形に形成し、一端面側には係合突起部１１ｓを一体形成するとともに、中心にはネジ孔１１ｎを設ける。この場合、係合突起部１１ｓの断面は、図５に示すように、小判形に形成する。即ち、円柱形の外周面における１８０〔゜〕対向位置をＤカット状にスライスした形状を有する。そして、このスライス面間の寸法は、前述したＵ形に形成した切欠部２ｃの幅寸法に略一致させる。また、係合突起部１１ｓにおけるスライス面以外の円弧面の曲率は、前述した半円形に形成した切欠部３ｃの曲率に略一致させる。
【００２９】
したがって、係合突起部１１ｓは、図５に示すように、各切欠部２ｃ，３ｃに対して跨がって係合させることができるとともに、係合突起部１１ｓは、切欠部２ｃの長手方向に進入して係合するため、係合突起部１１ｓと切欠部２ｃは、一方向にのみ相対変位が許容される。これにより、第一固定体１１の回り止めが行われるため、固定具４の取付性及び操作性の向上が図られる。また、係合突起部１１ｓと切欠部２ｃの規制された方向におけるクリアランスを可及的に少なくすれば、ユニット側シャーシ２に対する本体シャーシ３の位置決めを行うことができる。即ち、前述したように、三つの取付位置Ｐａ，Ｐｂ，Ｐｃは、ユニット側シャーシ２における左短辺の下部位置，右短辺の下部位置，上長辺の中央位置にそれぞれ配されることから、ユニット側シャーシ２は、Ｘ方向位置とＹ方向位置に規制されて位置決めされる。これにより、複数の固定具４…による固定機能（取付機能）に加え、位置決め機能を兼用させることができ、取付機構１における機構構造上の更なるシンプル化に寄与できる。
【００３０】
さらに、第二固定体１２は、図２に示すように、一定の厚さを有する円盤形に形成し、一端面側には係合突起部１１ｓの先端部分が進入して係合（嵌合）する係合凹部１２ｒを設ける。これにより、第一固定体１１と第二固定体１２の位置決めを容易かつ確実に行うことができる。また、中心にはネジの挿通孔１２ｈを設ける。なお、第二固定体１２の直径は、第一固定体１１の直径よりも大きく設定する。他方、固定ネジ部１３は、上述したネジ孔１１ｎに螺合するネジ部本体を有するとともに、ワッシャ及びリング形バネが付属する。
【００３１】
このように、固定具４を、本体シャーシ３及びユニット側シャーシ２の一方側の面に配する第一固定体１１と、本体シャーシ３及びユニット側シャーシ２の他方側の面に配する第二固定体１２と、第一固定体１１と第二固定体１２を固定する固定ネジ部１３を備えて構成すれば、本実施形態に係る取付機構１を実施するに際して、機構構造上のシンプル化によるコストダウン及び交換作業の効率アップの観点からより大きな効果を得ることができる。しかも、本体シャーシ３及びユニット側シャーシ２に、それぞれ切欠部３ｃ，２ｃを設けるとともに、第一固定体１１に、各切欠部３ｃ，２ｃに跨がって係合可能な係合突起部１１ｓを一体に設けたため、固定具４…の取付性及び操作性の向上を図ることができ、磁気処理ユニットＭｍの交換作業の効率アップの観点からもより大きな効果を得ることができる。
【００３２】
次に、本実施形態に係る取付機構１を用いた磁気処理ユニットＭｍの取付方法及び取外し方法について、各図を参照して説明する。
【００３３】
今、磁気処理ユニットＭｍは、本体シャーシ３から取外されているものとする。取付けに際しては、三組の固定具４…を用意する。一組の固定具４は、図２に示すように、第一固定体１１，第二固定体１２及び固定ネジ部１３を備えるため、まず、第一固定体１１の係合突起部１１ｓを、図５に示すように、磁気処理ユニットＭｍにおけるユニット側シャーシ２の切欠部２ｃに対して一方側の面から収容し、さらに、他方側の面から係合突起部１１ｓの先端部に対して第二固定体１２の係合凹部１２ｒを係合させる。そして、固定ネジ部１３を、図２に示すように、第二固定体１２の挿通孔１２ｈを通して第一固定体１１のネジ孔１１ｎに螺合する。また、係合突起部１１ｓは切欠部２ｃの底まで入れ、この状態で固定ネジ部１３を締付けて固定具４をユニット側シャーシ２に対して落下しないように仮固定する。他の固定具４…についても以上の仮固定を同様に行う。
【００３４】
磁気処理ユニットＭｍのユニット側シャーシ２は、この状態で本体シャーシ３の開口部３ｗに収容できるため、ユニット側シャーシ２と本体シャーシ３に設けられた隙間部Ｗに手が位置するようにして磁気処理ユニットＭｍを持ち、この状態で三つの固定具４…の正規の固定を行う。即ち、固定ネジ部１３をやや緩め、係合突起部１１ｓが切欠部２ｃから外に出る方向へ固定具４をスライド移動させ、係合突起部１１ｓを本体シャーシ３の切欠部３ｃに係合させる。この際、係合突起部１１ｓは切欠部３ｃの底に当接させる。この状態を図５及び図６に示す。他の固定具４…についても以上の手順を同様に行う。そして、三組の固定具４…を同様の状態にセットしたなら、三組の固定具４…の締付度合のバランスをとりながら各固定ネジ部１３…を完全に締め付ける。この際、係合突起部１１ｓは切欠部２ｃに係合して回り止めされるため、第一固定体１１を押さえることなく、固定ネジ部１３…を締め付けたり緩めたりすることができる。
【００３５】
これにより、本体シャーシ３に対する磁気処理ユニットＭｍの取付けを行うことができる。このように、磁気処理ユニットＭｍを本体シャーシ３に取付けるに際しては、特に、道具（治具）などを用いることなく、一人で容易に取付作業を行うことができる。一方、磁気処理ユニットＭｍを本体シャーシ３から取外す場合には、上述した取付ける場合の手順に対して反対の手順で作業を行えばよい。そして、前述したように、本体シャーシ３に磁気処理ユニットＭｍを取付けた際には、磁気処理ユニットＭｍと本体シャーシ３間に、券体Ｓｃを搬送する機能的に連続する搬送路Ｆが形成される。
【００３６】
このように、本実施形態に係る磁気処理ユニットの取付機構１によれば、本体シャーシ３に、磁気処理ユニットＭｍを収容する開口部３ｗを形成するとともに、磁気処理ユニットＭｍに、開口部３ｗに収容した際に本体シャーシ３の搬送路Ｆｏ（Ｆ）に対して同一面上に位置する搬送路Ｆｍ（Ｆ）を有するユニット側シャーシ２を設け、このユニット側シャーシ２と本体シャーシ３間における複数の取付位置Ｐａ，Ｐｂ，Ｐｃを、ユニット側シャーシ２と本体シャーシ３間に跨がり、かつユニット側シャーシ２と本体シャーシ３を両面側から挟む固定具４…により固定するようにしたため、搬送される券体Ｓｃに対する磁気処理ユニットＭｍの位置精度を高めることができる。これにより、幅方向位置に対する許容誤差が０．０５〔ｍｍ〕以下になることが要求されるような場合であっても十分に対応することができ、券体Ｓｃに対する読取不良等のエラーの発生を回避できる。また、ユニット側シャーシ２と本体シャーシ３間における複数の取付位置Ｐａ，Ｐｂ，Ｐｃを、ユニット側シャーシ２と本体シャーシ３間に跨がり、かつユニット側シャーシ２と本体シャーシ３を両面側から挟む固定具４…により固定するようにしたため、取付機構１の機構構造上のシンプル化によるコストダウン、更には磁気処理ユニットＭｍを交換する際における交換作業の効率アップを図ることができる。しかも、磁気処理ユニットＭｍを、発券機Ｍの本体シャーシ３に取付けることにより券体Ｓｃの磁気記録面Ｓｃｍに対する記録又は読出を行う磁気処理ユニットに適用したため、本発明に係る取付機構１を実施するに際して、券体Ｓｃに対する磁気処理ユニットＭｍの位置精度，取付機構１の機構構造上のシンプル化によるコストダウン及び磁気処理ユニットＭｍを交換する際における交換作業の効率アップの観点からより大きな効果を得ることができる。
【００３７】
以上、最良の実施形態について詳細に説明したが、本発明は、このような実施形態に限定されるものではなく、細部の構成，形状，数量，素材等において、本発明の要旨を逸脱しない範囲で、任意に変更，追加，削除することができる。例えば、取付位置Ｐａ，Ｐｂ，Ｐｃは、三個所の場合を示したが、四個所又はそれ以上を排除するものではないし、二個所であってもよい。また、本発明に係る磁気処理ユニットの取付機構１は、券体Ｓｃを券売する発券機Ｍにおける磁気処理ユニットＭｍをはじめ、他の同類のチケット類やカード類などのシート体Ｓを扱う各種磁気処理ユニットの取付機構に利用することができる。
【図面の簡単な説明】
【００３８】
【図１】本発明の最良の実施形態に係る取付機構の構成を示す側面図、
【図２】同取付機構の図１中Ａ−Ａ線断面を含む平面図、
【図３】同取付機構の図１中Ｂ−Ｂ線断面を含む平面図、
【図４】同取付機構を用いた発券機の概要図、
【図５】同取付機構における一部を抽出して示す側面図、
【図６】図５中Ｃ−Ｃ線断面図、
【符号の説明】
【００３９】
１：取付機構，２：ユニット側シャーシ，２ｃ：切欠部，３：本体シャーシ，３ｗ：開口部，３ｃ：切欠部，４…：固定具，１１：第一固定体，１１ｓ：係合突起部，１２：第二固定体，１２ｒ：係合凹部，１３：固定ネジ部，ｍａ：磁気ヘッド，ｍｂ：磁気ヘッド，Ｍ：発券機，Ｍｍ：磁気処理ユニット，Ｓ：シート体，Ｓｃ：券体，Ｓｃｍ：磁気記録面，Ｆ：搬送路，Ｆｏ：搬送路，Ｆｍ：搬送路，Ｐａ：取付位置，Ｐｂ：取付位置，Ｐｃ：取付位置
【図１】
0005269464.tif 000002
【図２】
0005269464.tif 000003
【図３】
0005269464.tif 000004
【図４】
0005269464.tif 000005
【図５】
0005269464.tif 000006
【図６】
0005269464.tif 000007